【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】  光タップルーティング装置と、
前記光タップルーティング装置から下りパケットを受け取る複数の光タップマルチプレクサとを備え、前記光タップルーティング装置はどの下りパケットを各マルチプレクサへ送るかを決定し、前記光タップマルチプレクサの各々は、
下りパケットが含む情報のタイプを決定して下りパケットを特定のポリサに割り当てる複数の分類器と、
ネットワークプロバイダが各ポリサに割り当てるパラメータと下りパケットとの比較に基づき帯域幅を制御する複数のポリサとを備える、光ネットワークシステム。
【請求項２】  各ポリサに割り当てる前記パラメータは、ピーク速度とバーストサイズと持続速度とのうち少なくとも１つからなる、請求項１の光ネットワークシステム。
【請求項３】  各ポリサは、前記パケットに重み付け早期ランダム破棄値を割り当てることにより帯域幅を制御する、請求項１の光ネットワークシステム。
【請求項４】  各光タップマルチプレクサは、各ポリサから受け取る少なくとも１つの下りパケットを格納する複数の出力バッファをさらに備える、請求項１の光ネットワークシステム。
【請求項５】  複数の出力バッファをさらに備え、各出力バッファは、当該出力バッファを空にする順序に関連した優先度値を割り当てられている、請求項１の光ネットワークシステム。
【請求項６】  各出力バッファは、前記重み付け早期ランダム破棄値を使用するランダム早期破棄機能によってパケットを評価する、請求項３の光ネットワーク。
【請求項７】  前記重み付け早期ランダム破棄値は、最大破棄確率値からなる、請求項６の光ネットワークシステム。
【請求項８】  複数の出力バッファをさらに備え、各出力バッファは、出力バッファ平均容量が最小および最大閾値の間にある時、前記最大破棄確率値を使用してパケットのランダム早期破棄機能を実行する、請求項７の光ネットワークシステム。
【請求項９】  ポリサに割り当てるパラメータは、加入者の帯域幅契約に対応する、請求項１の光ネットワークシステム。
【請求項１０】  前記帯域幅契約は、加入者が受信する所定データ量をビット／秒で測定する、請求項９の光ネットワークシステム。
【請求項１１】  前記分類器の１つは、各下りパケットのディフサーブコードポイント（ＤＳＣＰ）値を評価する、請求項１の光ネットワークシステム。
【請求項１２】  各分類器および各ポリサは、フィールドプログラマブルゲートアレイ（ＦＰＧＡ）および特定用途集積回路（ＡＳＩＣ）のうち１つからなる、請求項１の光ネットワークシステム。
【請求項１３】  下りパケットを当該パケットのヘッダを評価することによって分類し、
前記下りパケットが速度およびサイズパラメータの少なくとも１つに一致するか否かを決定し、
前記下りパケットが速度およびサイズパラメータの１つに一致するか否かの前記決定に基づき、前記下りパケットに２つの優先度値のうち１つを割り当て、
前記優先度値の１つを使用する重み付けランダム早期破棄機能に基づき、複数のバッファの１つに下りパケットを格納するか否かを決定する各段階を備えた、光ネットワークの下りパケットを処理する方法。
【請求項１４】  下りパケットが速度およびサイズパラメータの少なくとも１つに一致するか否かを決定する前記段階は、
下りパケットが持続速度を超えるか否かを決定し、
下りパケットがバーストサイズを超えるか否かを決定する各段階をさらに備える、請求項１３の方法。
【請求項１５】  下りパケットが持続速度を超えるか否かを決定する前記段階は、トークンバケットアルゴリズムを実行して前記持続速度を測定する段階をさらに備える、請求項１４の方法。
【請求項１６】  下りパケットがピーク速度を超えるか否かを決定し、
下りパケットが前記ピーク速度を越える場合に当該下りパケットを破棄する各段階をさらに備える、請求項１３の方法。
【請求項１７】  下りパケットがピーク速度を超えるか否かを決定する前記段階は、トークンバケットアルゴリズムを実行してピーク速度を測定する段階をさらに備える、請求項１６の方法。
【請求項１８】  下りパケットに２つの優先度値のうち１つを割り当てる前記段階は、前記下りパケットに最大破棄確率値を割り当てる段階を備える、請求項１３の方法。
【請求項１９】  最大破棄確率値を割り当てる前記段階は、パケットが持続速度に一致するか否かの決定に基づき前記最大破棄確率値を割り当てる段階をさらに備える、請求項１８の方法。
【請求項２０】  通信トラフィックプロフィールは、加入者クラスまたは加入者クラスのグループに対して受信を保証した最小帯域幅と、加入者がある期間に渡って使用できる最大帯域幅とのうち１つからなる、請求項１９の方法。
【請求項２１】  他バッファとの相対的な関係として各バッファに割り当てた優先度に対応する所定順序において、複数の出力バッファから１つ以上のパケットを出力する段階をさらに備える、請求項１３の方法。
【請求項２２】  出力バッファ平均容量が最小および最大閾値の間にある時、下りパケットのパラメータを評価するランダム早期破棄機能を実行する段階をさらに備え、前記ランダム早期破棄機能は前記下りパケットの破棄確率値を定義する、請求項１３の方法。
【請求項２３】  前記分類する段階は、前記パケットのディフサーブコードポイント（ＤＳＣＰ）を評価する段階をさらに備える、請求項１３の方法。
【請求項２４】  下りパケットを分類器で分類し、
前記分類器に関連したポリサに下りパケットをマップする各段階をさらに備える、請求項１３の方法。
【請求項２５】  光ネットワークと、
光タップと、
前記光タップに接続した加入者光インタフェースとを備え、
前記光ネットワークは、
下りデータパケットを発生するデータサービスハブと、
前記データサービスハブの出口パスにおいてデータサービスノードに接続し、前記下りデータパケットを受信して処理するトランシーバノードとを備え、
前記トランシーバノードは、
下りパケットが含む情報のタイプを決定する複数の分類器と、
パケットを破棄するか下りパケットに２つの優先度値の１つを割り当てるかによって帯域幅を制御する複数のポリサとを備える、ネットワーク監視システム。
【請求項２６】  優先度割り当てに対応すると共に重み付けランダム早期破棄機能を実行する複数のバッファをさらに備える、請求項２５のネットワーク監視システム。
【請求項２７】  前記トランシーバノードは、下りパケットを前記分類器へ送る光タップルーティング装置をさらに備える、請求項２５のネットワーク監視システム。
【請求項２８】  前記優先度値は、重み付け早期ランダム破棄値からなる、請求項２５のネットワーク監視システム。
【請求項２９】  前記重み付け早期ランダム破棄値は、最大破棄確率値からなる、請求項２８のネットワーク監視システム。
【請求項３０】  データサービスハブと、
光ネットワークシステムの１以上の加入者間で下り光信号を分割する少なくとも１つの光タップと、
前記光タップに接続され、前記少なくとも１つの光タップから下り光信号を受け取り、上り光信号を送る少なくとも１つの加入者光インターフェースと、
前記データサービスハブと前記光タップ間に設置され、前記データサービスハブ及び前記光タップと光信号を通信し、前記光ネットワークシステムの各光タップに接続された加入者グループ間で占有される帯域を配分するレーザトランシーバノードと、
各光タップ及び前記レーザトランシーバノードに接続され、前記上り光信号及び前記下り光信号を運び、前記加入者のための光帯域が加入者の使用要求に応じて前記レーザトランシーバノードによって制御可能であり、その数が最小化される１つ以上の光導波路とを備える、光ネットワークシステム。
【請求項３１】  前記光トランシーバノードは、前記光ネットワークシステムの加入者間で前記帯域を配分する光タップルーティング装置をさらに備えることを特徴とする、請求項１記載の光ネットワークシステム。
【請求項３２】  前記レーザトランシーバノードは、
前記光タップルーティング装置に接続された少なくとも１つのマルチプレクサと、
前記少なくとも１つのマルチプレクサに接続され、前記データサービスハブから受け取った下り光信号を前記光ネットワークシステムシステムの少なくとも１つの加入者光インターフェースに送る少なくとも１つの光送信器と、
前記少なくとも１つのマルチプレクサに接続され、前記光ネットワークシステムの少なくとも１つの加入者光インターフェースからの上り光信号を受け取って変換する少なくとも１つの光受信器とをさらに備える、請求項１記載の光ネットワークシステム。
【請求項３３】  前記レーザトランシーバノードは、前記少なくとも１つの光送信器及び光受信器に接続された少なくとも１つのダイプレクサを有し、各ダイプレクサは前記データサービスハブから受け取った下り無線周波数変調光信号を前記下り光信号に結合し、各ダイプレクサは各光導波路に接続されている、請求項３２記載の光ネットワークシステム。